(57)【要約】【課題】利便性を向上できる発香装置を提供する。【解決手段】文書、画像、映像、データベース等のコンテンツを表示する表示部４と、複数の香りを発することのできる発香部６とを備え、コンテンツに含まれる香り情報に基づいて表示部４の表示画面に対応した香りを発香部６から発する。これにより、使用者に対して使用状況に応じてコンテンツの提供側の意図する種々の香りを発することができる。【選択図】図１
2009212891.tif 000002
【特許請求の範囲】
【請求項１】
コンテンツを表示する表示部と、複数の香りを発することのできる発香部とを備え、前記コンテンツに含まれる香り情報に基づいて前記表示部の表示画面に対応した香りを前記発香部から発することを特徴とする発香装置。
【請求項２】
前記香り情報に拘わらず、使用者の操作によって前記発香部による発香を禁止する禁止手段を有することを特徴とする請求項１に記載の発香装置。
【請求項３】
前記香り情報は時間情報を含み、前記時間情報に応じた時間だけ前記発香部から香りを発することを特徴とする請求項１または請求項２に記載の発香装置。
【請求項４】
前記発香部は、複数の香り素材と、前記香り情報に応じて選択された前記香り素材を加熱する加熱部と、前記加熱部の加熱によって前記香り素材から発した一または複数の香りの素を混合する混合部とを備えたことを特徴とする請求項１〜請求項３のいずれかに記載の発香装置。
【請求項５】
ウェブページを前記表示部に表示するブラウザ機能を備え、ウェブページから成る前記コンテンツに含まれた所定のメソッドを読み取った際に、前記発香部から香りを発することを特徴とする請求項１〜請求項４のいずれかに記載の発香装置。
【請求項６】
ゲーム操作を行う操作部を備え、ゲームから成る前記コンテンツに含まれた所定のメソッドを読み取った際に、前記発香部から香りを発することを特徴とする請求項１〜請求項４のいずれかに記載の発香装置。
【請求項７】
画像から成る前記コンテンツを表示する際に、画像データの属性に含まれた前記香り情報を読み取って前記発香部から香りを発することを特徴とする請求項１〜請求項４のいずれかに記載の発香装置。
【発明の詳細な説明】
【技術分野】
【０００１】
本発明は、香りを発する発香部を備え、所定の時期に発香部から発香させる発香装置に関する。
【背景技術】
【０００２】
従来の発香装置は特許文献１、２に開示されている。この発香装置は移動通信端末によって構成され、香りを発する発香手段を備えている。移動通信端末に着信があると、発香手段から所定の香りが放出される。これにより、鳴動が禁止された場所で移動通信端末がカバン等に収納されて発光や振動を使用者が感知できない場合に、香りによって着信を知らせることができる。
【０００３】
【特許文献１】特開２００２−６４５９４号公報（第２頁−第３頁、第１図）
【特許文献２】特開２００７−９６８６１号公報（第５頁−第１０頁、第３図）
【発明の開示】
【発明が解決しようとする課題】
【０００４】
上記従来の発香装置は使用者または移動通信端末の生産者によって予め設定された香りが着信時に発生される。しかしながら、使用者に対して使用状況に応じた香りを提供することができず、発香装置の利便性が低い問題があった。
【０００５】
本発明は、利便性を向上できる発香装置を提供することを目的とする。
【課題を解決するための手段】
【０００６】
上記目的を達成するために本発明は、コンテンツを表示する表示部と、複数の香りを発することのできる発香部とを備え、前記コンテンツに含まれる香り情報に基づいて前記表示部の表示画面に対応した香りを前記発香部から発することを特徴としている。
【０００７】
この構成によると、発香装置は文書や画像等のコンテンツを表示部に表示し、使用者はこれらのコンテンツを楽しむことができる。コンテンツに香り情報が含まれると、発香装置は香り情報を読み取って発香部から香り情報に基づく香りを発する。
【０００８】
また本発明は、上記構成の発香装置において、前記香り情報に拘わらず、使用者の操作によって前記発香部による発香を禁止する禁止手段を有することを特徴としている。この構成によると、禁止手段により発香部からの発香が禁止されると、コンテンツに含まれた香り情報を読み取った際に発香部の停止状態が維持される。発香禁止手段は発香部に設けたハードウェアにより構成してもよく、発香部を制御するソフトウェアにより構成してもよい。
【０００９】
また本発明は、上記構成の発香装置において、前記香り情報は時間情報を含み、前記時間情報に応じた時間だけ前記発香部から香りを発することを特徴としている。
【００１０】
また本発明は、上記構成の発香装置において、前記発香部は、複数の香り素材と、前記香り情報に応じて選択された前記香り素材を加熱する加熱部と、前記加熱部の加熱によって前記香り素材から発した一または複数の香りの素を混合する混合部とを備えたことを特徴としている。
【００１１】
この構成によると、香り情報に基づいて複数の香り素材から選択された香り素材が加熱部によって加熱されると、一または複数の香りの素が発生する。発生した香りの素は混合部で混合して放出される。加熱部により発生した香りの素が１種の場合は混合部を通過して放出される。
【００１２】
また本発明は、上記構成の発香装置において、ウェブページを前記表示部に表示するブラウザ機能を備え、ウェブページから成る前記コンテンツに含まれた所定のメソッドを読み取った際に、前記発香部から香りを発することを特徴としている。この構成によると、ウェブページはＨＴＭＬ言語等によって記述される。発香部に指示を行うメソッドがブラウザ機能により読み取られると、発香部から香り情報に対応する香りを発する。
【００１３】
また本発明は、上記構成の発香装置において、ゲーム操作を行う操作部を備え、ゲームから成る前記コンテンツに含まれた所定のメソッドを読み取った際に、前記発香部から香りを発することを特徴としている。この構成によると、ゲームはＪＡＶＡ（登録商標）等のプログラム言語によって記述される。発香部に指示を行うメソッドがゲーム中に読み取られると、発香部から香り情報に対応する香りを発する。
【００１４】
また本発明は、上記構成の発香装置において、画像から成る前記コンテンツを表示する際に、画像データの属性に含まれた前記香り情報を読み取って前記発香部から香りを発することを特徴としている。この構成によると、画像データの属性に香り情報が記述される。画像を表示する際に属性に含まれた香り情報が読み取られ、発香部から香り情報に対応する香りを発する。
【発明の効果】
【００１５】
本発明によると、コンテンツに含まれる香り情報によって表示画面に対応した香りをコンテンツの提供側の意図する時に発することができる。これにより、使用者に対して使用状況に応じた香りを提供することができ、コンテンツを見る際の楽しみや理解度を増加させることができる。従って、発香装置の利便性を向上することができる。
【発明を実施するための最良の形態】
【００１６】
以下に本発明の実施形態を図面を参照して説明する。図１は一実施形態の発香装置の構成を示すブロック図である。発香装置１は携帯電話機等の移動通信端末から成り、各部を制御するＣＰＵ２を有している。ＣＰＵ２には通信部３、表示部４、操作部５、発香部６、カメラ部７及び記憶部１０が接続される。
【００１７】
通信部３はアンテナ３ａを有し、電話回線やインターネット網を介した通信を行う。表示部４は液晶パネル等から成り、文書、画像、映像、データベース等のコンテンツを表示する。操作部５は複数の操作キーを有し、各操作を行う。発香部６は詳細を後述するように香りを発する。カメラ部７はカメラ撮影を行う。
【００１８】
記憶部１０はＲＡＭ、ＲＯＭ、ＨＤＤ等から成り、オペレーティングシステム１１を含む各種のプログラムやデータを記憶する。オペレーティングシステム１１はＣＰＵ２と電気信号をやり取りするとともに、画面制御部１２、通信制御部１３、デバイス制御部１４及びアプリケーション制御部１５を動作させる。
【００１９】
画面制御部１２はオペレーティングシステム１１及びＣＰＵ２を介して表示部５の表示画面を制御する。通信制御部１３はオペレーティングシステム１１及びＣＰＵ２を介して通信部３を制御する。デバイス制御部１４は発香部６やカメラ部７等のデバイスのドライバーを有し、オペレーティングシステム１１及びＣＰＵ２を介して発香部６やカメラ部７を制御する。
【００２０】
アプリケーション制御部１５はアプリケーション部１６に格納されるアプリケーションを制御する。アプリケーション部１６には電話機能、電子メール機能、ゲーム機能、ブラウザ機能、カメラ機能、画像閲覧機能等を有した各アプリケーションが格納される。データ領域１７はデータを格納し、アプリケーションを介してデータの読み取りや書き込みが行われる。
【００２１】
図２は発香部６の概略構成を示している。発香部６は複数の香り素材２２ａ〜２２ｆを備えている。香り素材２２ａ〜２２ｆはカートリッジ等に収納された液体または固体から成り、交換可能になっている。各香り素材２２ａ〜２２ｆの近傍には抵抗線ヒータ等を有する加熱部２１が配される。
【００２２】
加熱部２１はデバイス制御部１４に基づく入力信号に応じて抵抗線ヒータ等に通電し、各香り素材２２ａ〜２２ｆをそれぞれ独立して加熱することができる。これにより、香り素材２２ａ〜２２ｆが気化または昇華して香りの素が発生する。混合部２３は香り素材２２ａ〜２２ｆから気化または昇華した香りの素を混合して所定の香りを形成し、開口部（不図示）から放出する。加熱部２１により発生した香りの素が１種の場合は混合部２３を通過して放出される。
【００２３】
例えば、デバイス制御部１４によって香り素材２２ｂ、２２ｄ、２２ｅが加熱部２１により加熱される。これにより、矢印Ａに示すように香り素材２２ｂ、２２ｄ、２２ｅから香りの素が発生する。香り素材２２ｂ、２２ｄ、２２ｅから発生した香りの素は混合部２３で混合され、所定の香りが矢印Ｂに示すように開口部から放出される。
【００２４】
加熱部２１により加熱される香り素材２２ａ〜２２ｆの組合わせによって、多数の香りを発香部６から発することができる。複数の香り素材の加熱時間を異なる加熱時間にすると、更に多くの香りを発香部６から発することができる。尚、混合部２３内の空気を循環して開口部から送出する送風機を設けてもよい。
【００２５】
また、発香部６には加熱部２１の通電をオンオフするスイッチ２４が設けられる。スイッチ２４をオフにすることにより発香部６からの発香が禁止される。即ち、スイッチ２４は発香部６からの発香を禁止する禁止手段を構成する。
【００２６】
上記構成の発香装置１において、操作部５によりアプリケーションの起動操作を行うと、アプリケーション制御部１５によりアプリケーション部１６のアプリケーションが起動される。これにより、所望の機能を動作させることができる。例えば、ブラウザ機能を起動すると、通信制御部１３の指示により通信部３によってインターネット網を介してウェブページがダウンロードされる。アプリケーション制御部１５はオペレーティングシステム１１を介して画面制御部１２にコンテンツの表示を指示する。これにより、表示部４にウェブページから成るコンテンツが表示される。
【００２７】
ウェブページは例えばＨＴＭＬ言語等によって記述され、図３に示すように実行するスクリプト名が記述されると、スクリプト名に対応するスクリプトが実行される。スクリプト内に発香部６に発香を指示するメソッドが含まれると、発香部６から香りが発せられる。ウェブページ上にコマンドボタンやアイコン等の指示手段を配置し、該指示手段を操作することによって上記メソッドが実行されるようにしてもよい。
【００２８】
図４はスクリプトの例を示す図である。発香を指示するメソッドは例えば、「outputfragrance」と定義される。このメソッドは香り名（fragrance）及び発香時間（t）の引数を持ち、香り名及び発香時間から成る香り情報を指定できる。
【００２９】
これにより、ウェブページを閲覧する際に「香り名」に基づいて発香部６の香り素材２２ａ〜２２ｆの一または複数が加熱される。そして、発香部６から「香り名」に対応する香りが「発香時間」で指定された時間だけ放出される。
【００３０】
例えば、香水や芳香剤を商品として扱うお店のウェブページを表示した際に、商品一覧の画面から使用者が所望の商品の選択操作を行う。これにより、メソッド「outputfragrance」が実行され、商品の香りが発香部６から放出される。従って、使用者は商品の現物を確かめなくても商品の香りを理解することができ、使用者の利便性が向上する。また、コンテンツの提供者も宣伝、商品のインターネット販売、インターネットオークション等を効果的に展開することができる。
【００３１】
次に、ロールプレイングゲーム等のゲームのコンテンツの場合は、アプリケーション部１６に保管されたゲームのアプリケーションが使用者によって起動される。これにより、ゲーム画面が表示部４に表示され、使用者は操作部５によってゲーム操作することができる。
【００３２】
ゲームのアプリケーションは例えばＪＡＶＡ（登録商標）言語等のプログラム言語によって記述され、図５に示すように発香のためのクラス「fragrance」が設けられる。クラス「fragrance」には、発香を指示するメソッド「outputfragrance」が定義される。このメソッドは香り名及び発香時間の引数を持ち、香り名及び発香時間から成る香り情報を指定できる。
【００３３】
図６はメソッドを実行するプログラムの例を示している。ゲームのプログラム中にはメソッド「outputfragrance」が引数（香り名及び発香時間）を指定して記述される。これにより、ゲーム中に「香り名」に基づいて発香部６の香り素材２２ａ〜２２ｆの一または複数が加熱される。そして、発香部６から「香り名」に対応する香りが「発香時間」で指定された時間だけ放出される。
【００３４】
例えば、ゲームが海の場面では海の香りを放出し、花畑の場面では花の香りを放出することができる。また、所定のステージをクリアすると心地よい香りを放出することや、キャラクターがダメージを受けると不快な香りを放出することができる。これらによってプレイヤーである使用者はより臨場感を得ることでき、使用者の利便性が向上する。尚、通信部３によってインターネット網を介してダウンロードしながら実行するゲームにおいても同様に香りを発することができる。
【００３５】
次に、表示部４に表示されるコンテンツが画像から成る場合は、データ領域１７に格納された画像データが読み出される。データ領域１７にはカメラ部７で撮影した写真の画像データやインターネット等を介して取り込まれた画像データが保管されている。画像データの属性には香り名及び発香時間を含む香り情報が記録されている。
【００３６】
画像データの属性に含まれる香り情報は使用者や画像提供者等によって書き込むことができる。カメラ部７に香りを検知する香りセンサを設け、カメラ撮影を行った際に香りセンサの検知結果に基づいて画像データの属性に香り名を記録してもよい。
【００３７】
画像データが読み出されると、アプリケーションは属性を同時に読み込む。これにより、属性に記録された「香り名」に基づいて発香部６の香り素材２２ａ〜２２ｆの一または複数が加熱される。そして、発香部６から「香り名」に対応する香りが「発香時間」で指定された時間だけ放出される。例えば、海の画像では海の香りを放出し、花畑の画像では花の香りを放出することができる。これにより、使用者はより臨場感を得ることでき、使用者の利便性が向上する。
【００３８】
本実施形態によると、コンテンツに含まれる香り情報によって表示部４の表示画面に対応した香りをコンテンツの提供側の意図する時期に発することができる。これにより、使用者に対して使用状況に応じた香りを提供することができる。その結果、コンテンツを見る際の臨場感が増加することによる楽しみが向上するとともに、理解度を増加させることができる。従って、発香装置１の利便性を向上することができる。
【００３９】
また、使用者の操作によって香り情報に拘わらず発香部６による発香を禁止するスイッチ２４（禁止手段）を有するので、使用者の意図で発香を禁止して発香装置１の利便性をより向上することができる。
【００４０】
尚、発香部６からの発香を禁止する禁止手段をソフトウェアにより構成してもよい。即ち、操作部５の操作に基づいてデバイス制御部１４によって発香部６のドライバーを停止することにより発香を禁止することができる。メソッド等から発香の指示があった際にアプリケーション制御部１５は発香部６の動作を調べ、発香部６が停止の場合に発香の指示をキャンセルする。この時、キャンセルした旨を表示部４に表示してもよい。
【００４１】
また、香り情報は時間情報を含むので、コンテンツに適した時間だけ発香部６から香りを発して発香装置１の利便性をより向上することができる。
【００４２】
また、発香部６が複数の香り素材２２ａ〜２２ｆと、香り情報に応じた香り素材２２ａ〜２２ｆを加熱する加熱部２１と、加熱部２１の加熱によって香り素材２２ａ〜２２ｆから発した一または複数の香りの素を混合する混合部２３とを備えたので、香りを発する発香部６を容易に実現することができる。
【００４３】
本実施形態において、発香装置１が移動通信端末装置から成るが、パーソナルコンピュータ、ゲーム装置、テレビ受像機等の電子機器であってもよい。即ち、コンテンツを表示部４に表示してコンテンツに含まれる香り情報に基づいて表示画面に対応した香りを発することのできる電子機器であればよい。
【産業上の利用可能性】
【００４４】
本発明によると、香りを発する発香部を備え、所定の時期に発香部から発香させる移動通信端末装置、パーソナルコンピュータ、ゲーム装置、テレビ受像機等の発香装置に利用することができる。
【図面の簡単な説明】
【００４５】
【図１】本発明の実施形態の発香装置の構成を示すブロック図
【図２】本発明の実施形態の発香装置の発香部の概略構成を示す図
【図３】本発明の実施形態の発香装置の発香部を動作させるＨＴＭＬスクリプトの例を示す図
【図４】本発明の実施形態の発香装置の発香部を動作させるＨＴＭＬスクリプトの例を示す図
【図５】本発明の実施形態の発香装置の発香部を動作させるＪＡＶＡ（登録商標）プログラムの例を示す図
【図６】本発明の実施形態の発香装置の発香部を動作させるＪＡＶＡ（登録商標）プログラムの例を示す図
【符号の説明】
【００４６】
１    発香装置
２    ＣＰＵ
３    通信部
４    表示部
５    操作部
６    発香部
７    カメラ部
１０    記憶部
１１    オペレーティングシステム
１２    画面制御部
１３    通信制御部
１４    デバイス制御部
１５    アプリケーション制御部
１６    アプリケーション部
１７    データ領域
２１    加熱部
２２ａ〜２２ｆ  香り素材
２３    混合部
【図１】
2009212891.tif 000003
【図２】
2009212891.tif 000004
【図３】
2009212891.tif 000005
【図４】
2009212891.tif 000006
【図５】
2009212891.tif 000007
【図６】
2009212891.tif 000008